(57)【要約】【課題】災害発生時に所望の相手先に安否確認用メールを高確率で送信することのできる安否情報通知システムおよび安否情報通知方法を提供すること。【解決手段】利用者の通信端末におけるメール送受信用に登録されたアドレス帳のデータを記憶手段に記憶し、その記憶手段に記憶されているアドレス帳のメールアドレスの少なくとも一つに対して安否確認用メールを送信する。このアドレス帳のメールアドレス宛に安否確認用メールを送信することにより、被災者が知らせたい相手先に安否確認用メールを高確率で送信することができる。【選択図】図１１
2007235257.tif 000002
【特許請求の範囲】
【請求項１】
利用者の通信端末から災害発生時の安否情報を受信する安否情報受信手段と、前記利用者の安否を確認するための安否確認用メールを所定の相手先に送信する送信手段とを備えた安否情報通知システムにおいて、
前記利用者の通信端末におけるメール送受信用に登録されたアドレス帳のデータを記憶する記憶手段を備え、前記送信手段は、前記記憶手段に記憶されているアドレス帳のメールアドレスの少なくとも一つに対して前記安否確認用メールを送信することを特徴とする安否情報通知システム。
【請求項２】
請求項１の安否情報通知システムにおいて、
利用者の通信端末と通信を行って、前記利用者の通信端末のアドレス帳のデータを受信するアドレス情報受信手段を備え、前記記憶手段は、前記アドレス情報受信手段で受信したアドレス情報を記憶することを特徴とする安否情報通知システム。
【請求項３】
請求項２の安否情報通知システムにおいて、
前記記憶手段は、前記アドレス情報受信手段で受信した前記アドレス帳のメールアドレスと、前記メールアドレス宛に前記安否確認用メールを送信するか否かを指定した情報とを関連づけて記憶することを特徴とする安否情報通知システム。
【請求項４】
請求項１乃至３いずれかの安否情報通知システムにおいて、
前記アドレス情報受信手段は、前記利用者の通信端末から、前記通信端末のアドレス帳のデータを所定のタイミングで受信し、前記記憶手段に保存されているアドレス帳のデータを更新することを特徴する安否情報通知システム。
【請求項５】
請求項１乃至４いずれかの安否情報通知システムにおいて、
前記記憶手段に保存されているデータと同期が取られた検索用のデータベースを備え、前記送信手段は、前記検索用のデータベースを用いて、前記所定の相手先に安否確認用メールを送信することを特徴とする安否情報通知システム。
【請求項６】
請求項２乃至５いずれかの安否情報通知システムにおいて、
通信端末からアドレス帳の編集情報を受信する編集情報受信手段と、前記受信した編集情報に基づいて、前記記憶手段に保存されたアドレス帳のデータを修正する編集手段とを備えたことを特徴とする安否情報通知システム。
【請求項７】
請求項１乃至６いずれかの安否情報通知システムにおいて、
前記安否確認用メールは、前記安否情報を含むことを特徴とする安否情報通知システム。
【請求項８】
請求項１乃至７いずれかの安否情報通知システムにおいて、
前記安否情報を記憶する安否情報記憶手段と、前記安否情報記憶手段に記憶された前記安否情報を掲示するＷＥＢページのデータを利用者の通信端末の取得要求に応じて送信する安否情報送信手段とを備え、
前記安否確認用メールは、前記ＷＥＢページの接続先情報を含むことを特徴とする安否情報通知システム。
【請求項９】
請求項１乃至８いずれかの安否情報通知システムにおいて、
前記利用者の通信端末は、移動通信端末であることを特徴とする安否情報通知システム。
【請求項１０】
利用者の通信端末から災害発生時の安否情報を受信するステップと、前記利用者の通信端末におけるメール送受信用に登録されたアドレス帳を記憶した記憶手段から、相手先のメールアドレスを取得するステップと、前記相手先に、前記利用者の安否を確認するための安否確認用メールを送信するステップとを備えたことを特徴とする安否情報通知方法。
【発明の詳細な説明】
【技術分野】
【０００１】
本発明は、災害発生時の安否情報を確認するための安否確認用メールを所定の相手先に送信する安否情報通知システムおよび安否情報通知方法に関するものである。
【背景技術】
【０００２】
地震などの大規模災害時に開設される災害用伝言板に、利用者が通信端末を介して自己の安否情報を登録したり、家族や友人が通信端末を介して災害用伝言板にアクセスして被災者の安否を確認できたりする災害用伝言板サービスが提供されている（例えば、非特許文献１）。
この非特許文献１においては、災害用伝言板に安否情報を登録した旨を通知する相手先のメールアドレスを災害用サーバ等の記憶手段に予め記憶しておく。そして、災害発生時に被災者の通信端末から、災害用伝言板に安否情報を登録したら、災害用伝言板に安否情報を登録した旨を災害用伝言板のＵＲＬを付与したメールを予め設定しておいた相手先に自動的に送信している。このメールを受信した相手先は、メールに記載されたＵＲＬへアクセスして、安否を知りたい携帯電話番号を入力することで、被災者の安否を確認することができる。このように、災害用伝言板に安否情報を登録した旨をメールで相手に通知することで、相手先が、災害用伝言板へ安否情報が登録されたかどうかわからず、何度も災害伝言板へアクセスして、安否情報の有無を確認する必要がなくなる。
【０００３】
【非特許文献１】「災害用伝言板」の「サービス概要」、[online]、２００６年２月１日、Vodafone、［２００６年２月１４日検索］、インターネット（ＵＲＬ：http://dengon.vodafone.ne.jp/pc-s1.jsp）
【発明の開示】
【発明が解決しようとする課題】
【０００４】
ところで、安否確認のメールを送信する相手先の設定は、相手先のメールアドレスを手入力しているため、相手先のメールアドレスを打ち間違え、その間違ったメールアドレスを災害用サーバへ記憶するおそれがあった。その結果、災害発生時に所望の相手先に安否確認用メールが送信されないという問題が生じてしまう。
【０００５】
本発明は、上記問題に鑑みなされたものであり、その目的とするところは、災害発生時に被災者が知らせたい相手先に安否確認用メールを高確率で送信することのできる安否情報通知システムおよび安否情報通知方法を提供することである。
【課題を解決するための手段】
【０００６】
上記目的を達成するために、請求項１の発明は、利用者の通信端末から災害発生時の安否情報を受信する安否情報受信手段と、前記利用者の安否を確認するための安否確認用メールを所定の相手先に送信する送信手段とを備えた安否情報通知システムにおいて、前記利用者の通信端末におけるメール送受信用に登録されたアドレス帳のデータを記憶する記憶手段を備え、前記送信手段は、前記記憶手段に記憶されているアドレス帳のメールアドレスの少なくとも一つに対して前記安否確認用メールを送信することを特徴とするものである。
また、請求項２の発明は、請求項１の安否情報通知システムにおいて、利用者の通信端末と通信を行って、前記利用者の通信端末のアドレス帳のデータを受信するアドレス情報受信手段を備え、前記記憶手段は、前記アドレス情報受信手段で受信したアドレス情報を記憶することを特徴とするものである。
また、請求項３の発明は、請求項２の安否情報通知システムにおいて、前記記憶手段は、前記アドレス帳の受信手段で受信した前記アドレス帳のメールアドレスと、前記メールアドレス宛に前記安否確認用メールを送信するか否かを指定した情報とを関連づけて記憶することを特徴とするものである。
また、請求項４の発明は、請求項１乃至３いずれかの安否情報通知システムにおいて、前記アドレス情報受信手段は、前記利用者の通信端末から、前記通信端末のアドレス帳のデータを所定のタイミングで受信し、前記記憶手段に保存されているアドレス帳のデータを更新することを特徴する安否情報通知システム。
また、請求項５の発明は、請求項１乃至４いずれかの安否情報通知システムにおいて、前記記憶手段に保存されているデータと同期が取られた検索用のデータベースを備え、前記送信手段は、前記検索用のデータベースを用いて、前記所定の相手先に安否確認用メールを送信することを特徴とするものである。
また、請求項６の発明は、請求項２乃至５いずれかの安否情報通知システムにおいて、通信端末からアドレス帳の編集情報を受信する編集情報受信手段と、前記受信した編集情報に基づいて、前記記憶手段に保存されたアドレス帳のデータを修正する編集手段とを備えたことを特徴とするものである。
また、請求項７の発明は、請求項１乃至６いずれかの安否情報通知システムにおいて、前記安否確認用メールは、前記安否情報を含むことを特徴とするものである。
また、請求項８の発明は、請求項１乃至７いずれかの安否情報通知システムにおいて、前記安否情報を記憶する安否情報記憶手段と、前記安否情報記憶手段に記憶された前記安否情報を掲示するＷＥＢページのデータを利用者の通信端末の取得要求に応じて送信する安否情報送信手段とを備え、前記安否確認用メールは、前記ＷＥＢページの接続先情報を含むことを特徴とするものである。
また、請求項９の発明は、請求項１乃至８いずれかの安否情報通知システムにおいて、前記利用者の通信端末は、移動通信端末であることを特徴とするものである。
また、請求項１０の発明は、利用者の通信端末から災害発生時の安否情報を受信するステップと、前記利用者の通信端末におけるメール送受信用に登録されたアドレス帳を記憶した記憶手段から、相手先のメールアドレスを取得するステップと、前記相手先に、前記利用者の安否を確認するための安否確認用メールを送信するステップとを備えたことを特徴とするものである。
なお、上記安否確認用メールとしては、例えば、上記安否情報を掲示するＷＥＢページの接続先情報であるＵＲＬが記載されたメールや、上記安否情報が直接記載されたメールが挙げられる。
【発明の効果】
【０００７】
請求項１乃至１０の発明によれば、利用者の通信端末におけるメール送受信用に登録されたアドレス帳のメールアドレスを記憶手段に記憶し、記憶手段に記憶されているアドレス帳のメールアドレスの少なくとも一つに対して安否確認用メールを送信するようにしている。通常、相手先とメールのやりとりをする場合、通信端末のアドレス帳から相手先のメールアドレスを特定して送信する。このように通信端末のアドレス帳中のメールアドレスを用いることにより、所定の相手先に確実にメールを送信することができる。よって、利用者の通信端末におけるメール送受信用に登録されたアドレス帳のデータを記憶手段に記憶し、そのアドレス帳のメールアドレス宛に安否確認用メールを送信することにより、被災者が知らせたい相手先に安否確認用メールを高確率で送信することができる。
【発明を実施するための最良の形態】
【０００８】
以下、本発明の安否情報通知システムの一実施形態について、図面を参照しながら説明する。
図１は、安否情報通知システム１０の概要を示すブロック図である。安否情報通知システム１０は、送信手段たるメールサーバ１１と、キャッシュサーバ１３と、バックアップ手段たるアドレスバックアップサーバ１２と、安否情報報知手段たる災害用サーバ１４とを備えている。
バックアップ手段たるアドレスバックアップサーバ１２は、携帯電話機６０のアドレス帳や、パーソナルコンピュータ２からの編集情報を受信する受信手段と、携帯電話機６０のアドレス帳のデータ（以下「アドレス帳情報」という。）をバックアップするための記憶手段たるデータベース１２ａを備えている。バックアップアップサーバ１２は、携帯電話機６０から所定のタイミングでアドレス帳情報を受信して記憶手段に保存されているアドレス帳情報を更新して、携帯電話機６０に保存されているアドレス帳情報と同期が取られている。また、アドレスバックアップサーバ１２は、パーソナルコンピュータ２からのアドレス帳編集情報を受信して、記憶手段に保存されているアドレス帳をアドレス帳編集情報に基づき修正する編集手段も備えている。
【０００９】
安否情報報知手段たる災害用サーバ１４は、震度６の地震が発生するなどの大規模災害時に利用できるサーバであり、被災者の携帯電話機６０から、安否情報と携帯電話番号を受信する安否情報受信手段を備えている。また、受信した安否情報を記憶する安否情報記憶手段と、利用者のパソコンや携帯電話機の取得要求に応じて、安否情報記憶手段に記憶した安否情報を掲示有する「災害伝言板」というＷＥＢページのデータを送信するコンテンツ送信手段（安否情報送信手段）を備えている。
【００１０】
検索用のデータベースを有するキャッシュサーバ１３は、アドレスバックアップサーバ１２にバックアップされている各携帯電話機６０のアドレス帳情報を保存している。キャッシュサーバ１３は、アドレス帳情報をアドレスバックアップサーバ１２から所定のタイミングで取得している。
【００１１】
メールサーバ１１は、インターネット４または移動通信網５を介して送信されたメールを保管し、移動通信端末たる携帯電話機６０からの要求に応じて、要求先の携帯電話機６０に対応するメールを送信している。また、メールサーバ１１は、検索部１１ａと、メール作成手段たるメール作成部１１ｂとを有している。メール作成部１１ｂは、災害用サーバ１４から安否情報を受信して、安否確認用メール（以下、「安否メール」という。）を作成する。なお、安否メールは、上述の「災害用伝言板」のＷＥＢページのＵＲＬを記載したメール、又は安否情報が記載されたメールである。
検索部１１ａは、災害用サーバ１４から携帯電話番号を受信し、キャッシュサーバ１３から、この携帯電話番号に対応するアドレス帳情報を検索し、このアドレス帳情報から、安否情報送信先として登録されているメールアドレスを取得している。メールサーバ１１は、検索部１１ａが取得したメールアドレス宛に、メール作成部１１ｂが作成した安否メールを送信する。
【００１２】
図２は本発明の実施形態に係る携帯電話機６０の外観図であり、図３は同携帯電話機６０のハードウェアの概略ブロック図である。携帯電話機６０は、システムバス２００、ＣＰＵ２０１、ＲＡＭ２０２やＲＯＭ２０３等からなる内部記憶装置、データ入力キー（テンキー、＊キー、＃キー）６１、通話開始キー６２、終話キー６３、スクロールキー６４、多機能キー６５等からなる入力装置２０４、液晶ディスプレイ（ＬＣＤ）６７やスピーカ６８等からなる出力装置２０５、携帯電話通信網を介して他の携帯電話機や各種サーバと通信するための携帯電話用通信装置２０６を備えている。ＣＰＵ２０１やＲＡＭ２０２等の構成要素はお互いに、システムバス２００を介して、各種データやプログラムの命令等のやり取りを行っている。内部記憶装置には、ユーザーが多機能キー６５等の入力装置を用いて相手先のメールアドレスや安否情報送信先指定情報などの情報を入力したアドレス帳情報が記憶されている。
上記携帯電話機６０は、上記アドレスバックアップサーバ１２と同期を行う同期実行手段としての機能を有している。
【００１３】
先の図１に示す、アドレスバックアップサーバ１２は、携帯電話機６０のアドレス帳情報を携帯電話機６０から受信して記憶し、携帯電話機６０のアドレス帳と同期が取られている。アドレス帳の同期は、以下のようにして行われる。ユーザーは、携帯電話機６０を操作して液晶ディスプレイ６７に図４（ａ）に示すようなメニュー選択画面を表示する。このメニュー選択画面上で「アドレス帳のバックアップ実行」を選択して、図４（ｂ）に示すような、確認画面を表示する。そして、ユーザーがＯＫを選択すると、携帯電話機６０は、この携帯電話機６０の電話番号を付与して、アドレス帳情報としてアドレス帳に登録されたメールアドレスおよび後述する安否情報送信先指定情報を、移動通信網５を介してアドレスバックアップサーバ１２へ送信する。アドレスバックアップサーバ１２は、図５に示すように、電話番号と、アドレス帳情報（相手先のメールアドレスおよび安否情報送信先指定情報）と関連付けたアドレステーブルをサーバ内のデータベースに保存する。このようにして、携帯電話機６０を操作することで、アドレスバックアップサーバ１２に保存されているアドレス帳と、携帯電話機６０のアドレス帳との同期が取られる。
【００１４】
また、上記のように手動でアドレス帳情報をアドレスバックアップサーバ１２に送信する以外に、自動的にアドレス帳情報をアドレスバックアップサーバ１２に送信するようにしても良い。例えば、携帯電話機６０のアドレス帳の編集が終了して所定時間（例えば、１０分後）に自動的にアドレス帳情報をアドレスバックアップサーバ１２に送信するようにしても良い。また、所定のスケジュールに基づき自動的にアドレス帳情報をアドレスバックアップサーバ１２に送信するようにしても良い。スケジュールの設定は、例えば、次のようにして行うことができる。図６（ａ）に示すように、携帯電話機６０の表示画面のメニュー選択画面に、「アドレス帳バックアップスケジュールの設定」を設ける。ユーザーがこの「アドレス帳バックアップスケジュールの設定」を選択したら、図６（ｂ）のようなスケジュール設定画面を表示する。ユーザーは、図６（ｂ）に示された画面から、毎日行うか、毎週行うか、毎月行うかを選択し、送信時間や、送信日時を決定する。携帯電話機６０は、このように設定された送信スケジュールを内部メモリに記憶し、この内部メモリに記憶された送信スケジュールに基づいて、アドレス帳情報をアドレスバックアップサーバ１２に送信する。
【００１５】
また、アドレスバックアップサーバ１２にバックアップされているアドレス帳を、インターネット上にあるパーソナルコンピュータ２で編集できるようになっている。図７は、アドレス帳編集時のアドレスバックアップサーバ１２の制御フローである。図８は、アドレスバックアップサーバ１２のアドレス帳を編集するときのシーケンス図である。
まず、パーソナルコンピュータ２は、ＷＥＢページにアクセスし、電話番号と認証パスワードを入力して、電話番号、認証パスワードとともにアドレス帳情報取得要求を、インターネット４を介してアドレスバックアップサーバ１２に送信する。アドレスバックアップサーバ１２は、パーソナルコンピュータ２から電話番号、認証パスワードとともにアドレス帳情報取得要求を受信したら（Ｓ１）、認証パスワードが正しいか否かを判定する（Ｓ２）。アドレスバックアップサーバ１２は、電話番号と認証パスワードとが関連付けられて記憶されたデータテーブルを保存しており、取得した電話番号と認証パスワードとがアドレスバックアップサーバ１２に記憶されている電話番号と認証パスワードと一致しているか否かを判定する。一致していない場合は、電話番号または認証パスワードが間違いと判定し（Ｓ２のＮＯ）、その旨が記載されたＷＥＢページをパーソナルコンピュータ２に送信する。
【００１６】
一方、一致している場合は、入力された電話番号と認証パスワードが正しいと判定し（Ｓ２のＹＥＳ）、取得した電話番号に対応したアドレス帳情報を、インターネット４を介してパーソナルコンピュータ２へ送信する（Ｓ３）。パーソナルコンピュータ２は、アドレス帳が表示されたＷＥＢページを操作して、アドレス帳の編集を行い、アドレス帳編集情報をアドレスバックアップサーバ１２へ送信する。アドレスバックアップサーバ１２は、アドレス帳編集情報を受信したら（Ｓ４のＹＥＳ）、アドレス帳編集情報に基づき、アドレス帳に更新する（Ｓ５）。次に、アドレスバックアップサーバ１２は、携帯電話機６０に更新したアドレス帳情報を送信する（Ｓ６）。携帯電話機６０は、アドレス帳情報を受信したら、携帯電話機内のアドレス帳を自動的に受信したアドレス帳情報に更新する。
【００１７】
次に、安否メールの送信設定について説明する。図９は、安否メールの設定を行っているときの携帯電話機のディスプレイの画面遷移の説明図である。
ユーザーは、携帯電話機６０の表示画面に図９（ａ）のメニュー選択画面を表示させる。そして、この図９（ａ）のメニュー選択画面上で利用者が「安否情報送信先設定」を選択すると、図９（ｂ）に示すような安否情報送信先の設定画面が表示される。この安否情報送信先の設定画面には、説明文の下にアドレス帳に登録されたアドレス帳情報が表示されており、利用者は、安否情報送信先として指定するメールアドレスにチェックを入れる。そして、利用者は、安否情報送信先の選択を行ったら、図９（ｃ）に示す設定完了画面がディスプレイ６１に表示される。
なお、安否情報送信先の設定方法は、これに限らず、例えば、アドレス帳の登録・修正画面上でも、安否情報送信先を指定できるようになっている。また、安否情報送信先に指定したか否かは、アドレス帳から確認できるようになっている。
【００１８】
図９（ｃ）に示す設定完了画面の「ＯＫ」を選択すると、携帯電話機６０の内部記憶装置に保存されているアドレス帳情報を更新する。また、携帯電話番号を付与して、アドレス帳情報をバックアップサーバ１２に送信する。バックアップサーバ１２は、携帯電話機６０から、携帯電話番号が付与されたアドレス帳情報を受信して、記憶手段に保存されているアドレス帳を更新する。
【００１９】
次に、大規模災害が発生し、被災者が安否メールを上述の安否情報送信先に送信するときの制御について説明する。図１０は、安否メールの送信を行うときの携帯電話機６０のディスプレイ６７の画面遷移の説明図であり、図１１は、安否メールの送信を行うときの安否情報通知システム１０のシーケンス図である。
ユーザーは、携帯電話機６０の表示画面に図１０（ａ）のメニュー選択画面を表示させる。そして、この図１０（ａ）のメニュー選択画面上で利用者が「災害用伝言板」を選択すると、図１０（ｂ）の安否情報の設定画面が説明文とともに表示画面に表示される。利用者は、この安否情報の設定画面上で「登録」を選択すると、図１０（ｃ）に示すような安否情報設定画面が表示される。利用者は、安否情報として、「無事です。」、「自宅にいます。」等の定型文を選択できるとともに、コメント入力欄に「明日戻ります」などのコメントを入力して、登録を選択する。すると、図１０（ｄ）に示す登録完了画面がディスプレイ６１に表示され、利用者が送信を選択すると、携帯電話機６０は、図１１に示すように、登録した安否情報に携帯電話番号を付与して、災害用サーバ１４へ送信する。
【００２０】
災害用サーバ１４は、被災者の携帯電話機６０から送信された携帯電話番号が付与された安否情報を受信したら、災害用サーバ１４の安否情報記憶手段に携帯電話番号と安否情報とを保存する。これにより、この安否情報が書き込まれた災害伝言板を利用者が表示することができる。また、災害用サーバ１４は、携帯電話機６０から受信した携帯電話番号および安否情報をメールサーバへ送信する。
【００２１】
メールサーバ１１は、災害用サーバ１４から携帯電話番号と安否情報とを受信したら、メールサーバ１１の検索部１１ａが、キャッシュサーバ１３に保存されているアドレステーブルから受信した携帯電話番号に対応するアドレス帳を特定する。次に、検索部１１ａは、特定されたアドレス帳のアドレス情報から、安否情報送信先として登録されたメールアドレスを取得する。メールサーバのメール作成部１１ｂは、災害用サーバ１４から受信した安否情報に基づいて、メールを作成する。メールサーバ１１は、メール作成部１１ｂで作成したメールを検索部１１ａが取得したメールアドレス宛に安否メールを送信する。これにより、家族や親しい友人は、災害伝言板にアクセスしなくても被災者の安否をメールで確認することができる。
【００２２】
また、上述したように、携帯電話機６０から災害用サーバ１４へ送信された安否情報は、災害用伝言板に書き込まれて、被災者から安否情報をメールで受信していない被災者の友人や知人も被災者の安否情報が確認できる。
図１２は、災害用伝言板に書き込まれた安否情報を確認するときの携帯電話機６０のディスプレイ６７の画面遷移の説明図である。ユーザーは、携帯電話機６０のディスプレイ６７に表示されたメニュー選択画面上で「災害用伝言板」を選択して、図１２（ａ）の安否情報の設定画面を表示される。この安否情報の設定画面から、確認を選択すると、図１２（ｂ）の安否情報の確認検索画面が説明文と携帯電話番号入力部１２０ともにディスプレイ６７に表示される。この携帯電話番号入力部６１に、安否情報を確認したい被災者の携帯電話番号を入力して、検索を選択すると、図１２（ｃ）に示すような、災害伝言板に書き込まれた安否情報一覧画面がディスプレイ６７に表示される。そして、利用者が、確認したい安否情報を選択すると、図１２（ｄ）に示すような安否情報がディスプレイ６７に表示される。
【００２３】
なお、災害用サーバ１４は、大規模災害のときに利用できるサーバであり、大規模災害が発生しないときに、安否情報を災害用サーバ１４へ送信しても、災害用サーバ１４は、安否情報を受け付けないようになっている。
【００２４】
また、上述においては、災害用伝言板に書き込まれる安否情報と、利用者が予め指定した相手先にメールで送信される安否情報は、同じ内容であるが、これに限られない。例えば、利用者が予め指定した相手先にメールで知らせる安否情報と、災害用伝言板に書き込む安否情報とを異ならせてもよい。この場合、利用者が予め指定した相手先にメールで知らせる安否情報は、災害サーバを介さずに直接メールサーバに送信するようにしてもよい。また、安否情報に災害伝言板書き込み用か、メール送信用かを識別する識別子を付与して、安否情報を災害サーバ用サーバに送信するようにしてもよい。この場合、災害用サーバは、安否情報に付与された識別子を確認して、安否情報が災害伝言板書き込むことを許可している場合は、この安否情報を災害用伝言板に書き込み、不許可の場合は、安否情報を災害用伝言板に書き込まずに、メールサーバへ送信する。
【００２５】
また、上述の安否メールは、災害用伝言板に書き込まれた安否情報と同内容の安否情報を記載して、相手先に送信しているが、災害用伝言板に安否情報を登録した旨を災害用伝言板のＵＲＬ（ＷＥＢページの接続先情報）を付与したメールを安否メールとして相手先に送信するようにしてもよい。この場合は、相手先が災害用伝言板にアクセスして、被災者の安否情報を確認する。
【００２６】
以上、本実施形態の安否情報通知システムによれば、被災者の通信端末たる携帯電話機のアドレス帳を用いて、相手先に安否メールを送信することができ、高確率で被災者が予め指定した相手先に安否メールを送信することができる。
【００２７】
また、携帯電話機に保存されているアドレス帳のアドレス情報を保存するバックアップ手段たるバックアップサーバを有している。これにより、携帯電話機に保存されたアドレス帳のデータが破損しても、バックアップサーバから保存されたアドレス情報をダウンロードすれば、携帯電話機に保存されたアドレス帳を修復することができる。
【００２８】
また、アドレス帳に登録されたメールアドレスと安否確認用メールを送信する相手先の情報（安否情報送信先指定情報）とが関連付けられて記憶手段に保存されている。これにより、被災者の携帯電話機のアドレス帳に登録されたメールアドレスのうち、所定の相手先に安否メールを送信することができる。
【００２９】
また、バックアップサーバは、図２に示すように携帯電話機に保存されているアドレス帳情報が更新されたときに携帯電話機に保存されているアドレス帳情報を受信したり、図４に示すように携帯電話機に保存されているアドレス帳情報を定期的に受信したりして、携帯電話機に保存されているアドレス帳情報と同期がとられている。これにより、携帯電話機のアドレス帳は、変更された相手先のメールアドレスに更新されているが、バックアップサーバには、変更された相手先のメールアドレスに更新されないなどの不具合を抑制することができる。これにより、災害発生時に変更前の相手先のメールアドレス宛に安否メールが送信されてしまうのを抑制することができる。
【００３０】
また、メールサーバは、前記検索用のデータベースを有するキャッシュサーバから、被災者が予め指定した相手先のメールアドレスを取得して、安否確認用メールを送信している。このため、バックアップサーバの記憶手段から被災者が予め指定した相手先のメールアドレスを取得するものに比べてバックアップサーバの負荷を低減することができる。これにより、同期処理のスピードの低下を抑制することができる。
【００３１】
また、バックアップサーバの記憶手段に保存されたアドレス帳は、パソコンなどでも編集できるようになっている。これにより、携帯電話機の表示画面よりも大きな表示画面をもつパソコンなどの通信端末でアドレス帳を編集することができ、携帯電話機のアドレス帳の編集を容易に行うことができる。
【００３２】
また、災害サーバは、被災者の携帯電話機から安否情報を受信して、ＷＥＢページである災害用伝言板にこの安否情報を書き込んでいる。これにより、被災者から安否情報をメールで受信していない被災者の友人や知人も災害用伝言板にアクセスすれば、被災者の安否を知ることができる。
【００３３】
また、メールサーバのメール作成部は、被災者の携帯電話機から送信された安否情報が記載された安否メールを作成している。これにより、被災者からする安否メールを受信した相手先は、災害用伝言板にアクセスしなくても、被災者の安否を知ることができる。
【図面の簡単な説明】
【００３４】
【図１】安否情報通知システムの概要を示すブロック図。
【図２】携帯電話機の外観図。
【図３】携帯電話機のハードウェア構成を示す概略構成図。
【図４】（ａ）、（ｂ）はアドレス帳のバックアップ処理を行うときのディスプレイの画面遷移の説明図。
【図５】バックアップサーバのデータベースに保存されているアドレステーブルを示す図。
【図６】（ａ）、（ｂ）はアドレス帳のバックアップのスケジュール設定処理を行うときのディスプレイの画面遷移の説明図。
【図７】アドレス情報編集時のアドレスバックアップサーバの制御フロー図。
【図８】アドレスバックアップサーバのアドレス情報を編集するときのシーケンス図。
【図９】（ａ）〜（ｃ）は安否メールの設定を行っているときの携帯電話機のディスプレイの画面遷移の説明図。
【図１０】（ａ）〜（ｄ）は安否メールの送信を行うときの携帯電話機６０のディスプレイ６７の画面遷移の説明図
【図１１】安否メールの送信を行うときの安否情報通知システムのシーケンス図。
【図１２】（ａ）〜（ｄ）は災害用伝言板に書き込まれた安否情報を確認するときの携帯電話機のディスプレイの画面遷移の説明図
【符号の説明】
【００３５】
２    パーソナルコンピュータ
１０  安否情報通知システム
１１  メールサーバ
１２  バックアップサーバ
１３  キャッシュサーバ
６０  携帯電話機
【図１】
2007235257.tif 000003
【図２】
2007235257.tif 000004
【図３】
2007235257.tif 000005
【図４】
2007235257.tif 000006
【図５】
2007235257.tif 000007
【図６】
2007235257.tif 000008
【図７】
2007235257.tif 000009
【図８】
2007235257.tif 000010
【図９】
2007235257.tif 000011
【図１０】
2007235257.tif 000012
【図１１】
2007235257.tif 000013
【図１２】
2007235257.tif 000014